(57)【要約】【課題】  棒材切断機に回転工具としての機能を与え、作業効率の向上を図る。【解決手段】  棒材切断機１において、モータ２から可動刃への動力伝達において回転する回転体としてのカム１４に、回転作業用の工具１６を連結可能な工具連結部１７を設けた。【選択図】      図１
2006116684.tif 000002
【特許請求の範囲】
【請求項１】
モータと、このモータによる回転駆動力を可動刃に伝達して該可動刃を固定刃側に回動させる機構とを備え、固定刃と可動刃による剪断作用により棒材を切断する棒材切断機において、
前記モータから可動刃への動力伝達において回転する回転体に、回転作業用の工具を連結可能な工具連結部を設けたことを特徴とする棒材切断機。
【請求項２】
前記回転作業用の工具は、ねじ切り用ダイスであることを特徴とする請求項１に記載の棒材切断機。
【請求項３】
前記回転作業用の工具は、ねじ回転用ソケットであることを特徴とする請求項１に記載の棒材切断機。
【請求項４】
前記棒材切断機の外側パネルに前記工具連結部を露出させる開口部を形成し、該開口部を開閉自在に覆う蓋体を設けたことを特徴とする請求項１〜３のうちいずれか一つに記載の棒材切断機。
【発明の詳細な説明】
【技術分野】
【０００１】
本発明は、全ねじ等の棒状の材料を剪断作用により切断する棒材切断機に関する。
【背景技術】
【０００２】
建物等の建築において、照明器具、空調設備等の設備関係の機器を配設する場合、例えば、電線ラック、空調ダクト、配管等を天井から吊り下げたり、壁面に取り付けたりする際には、全ねじボルト（棒材）が用いられる。この全ねじボルトは定尺であるため、建築現場で必要な長さに切断されるが、かかる切断作業には、携帯型の切断機が用いられる（例えば特許文献１）。
【特許文献１】特許第３４２７５２８号公報
【発明の開示】
【発明が解決しようとする課題】
【０００３】
ところで、全ねじボルトを切断する作業を行う場合には、例えば、切断した部分のバリ取りや、ねじ切り、切断後のナットの締め込みなど、回転工具を用いる作業を伴う場合が多い。したがって、現場では、必要に応じて切断機と回転工具とを取り替えながら、一連の作業が実行される。
【０００４】
しかしながら、このようにして工具を取り替えると、その分、作業が手間取り、作業効率が低下してしまう。
【０００５】
そこで、本発明は、切断機に回転工具としての機能を与え、作業効率の向上を図ることを目的とする。
【課題を解決するための手段】
【０００６】
請求項１の発明にあっては、モータと、このモータによる回転駆動力を可動刃に伝達して該可動刃を固定刃側に回動させる機構とを備え、固定刃と可動刃による剪断作用により棒材を切断する棒材切断機において、上記モータから可動刃への動力伝達において回転する回転体に、回転作業用の工具を連結可能な工具連結部を設けたことを特徴とする。
【０００７】
請求項２の発明にあっては、上記回転作業用の工具は、ねじ切り用ダイスであることを特徴とする。
【０００８】
請求項３の発明にあっては、上記回転作業用の工具は、ねじ回転用ソケットであることを特徴とする。
【０００９】
請求項４の発明にあっては、上記棒材切断機の外側パネルに上記工具連結部を露出させる開口部を形成し、該開口部を開閉自在に覆う蓋体を設けたことを特徴とする。
【発明の効果】
【００１０】
請求項１の発明によれば、モータから可動刃への動力伝達において回転する回転体に、回転作業用の工具を連結可能な工具連結部を設けたため、棒材切断機を、回転工具として用いることができ、作業効率を向上させることができる。
【００１１】
請求項２の発明によれば、ねじ切り用ダイスを連結可能としたため、棒材切断機を、ねじ切り用の回転工具として用いることができる。
【００１２】
請求項３の発明によれば、ねじ回転用ソケットを連結可能としたため、棒材切断機を、ねじ回し用の回転工具として用いることができる。
【００１３】
請求項４の発明によれば、上記開口部を開閉自在に覆う蓋体を設けたため、工具連結部を保護することができる上、使用しないときには開口部を閉じ、より安全に使用することができる。
【発明を実施するための最良の形態】
【００１４】
以下、本発明の実施形態について図面を参照しながら詳細に説明する。図１は、本発明の実施形態にかかる棒材切断機の断面図、図２は、棒材切断機に含まれる切断作用部の正面図、図３は、棒材切断機に含まれる工具連結部およびそれに連結した工具の側面図（一部断面図）、図４は、棒材切断機の斜視図、図５は、連結される工具としてのねじ切り用ダイスを示す図、図６は、連結される工具としてのねじ回転用ソケットを示す図である。
【００１５】
本実施形態にかかる棒材切断機１は、本体部４内に、モータ２や、減速機６、切断刃駆動機構３等を収容しており、モータ２の回転を減速機６を介して切断刃駆動機構３に伝達し、当該切断刃駆動機構３によって可動刃１２を回動させ、固定刃９と可動刃１２による剪断作用により棒材（図示せず）を切断するものである。また、本体部４には、ハンドル部５および補助ハンドル部７が形成されるとともに、該本体部４の下端部には電池パック２６が装着できるようになっており、かかる棒材切断機１は、可搬型の工具として用いられる。
【００１６】
切断刃駆動機構３は、減速機６の回転出力によって回転するカム１４を備えている。さらに、この切断刃駆動機構３の先端側には、切断作用部８が設けられている。この切断作用部８は、固定アーム１０と可動アーム１１とを備えており、これら固定アーム１０および可動アーム１１には、それぞれボルト１３によって固定刃９および可動刃１２が固定されている。
【００１７】
ここで、可動アーム１１のローラ１５は、カム１４の外周面上に転接するように構成されている。よって、カム１４が回転するにつれて、当該カム１４の形状にしたがってローラ１５のカム１４の軸心からの距離が変化して可動アーム１１が揺動し、可動刃１２が固定刃９に対して接近したり離間したりする。かかる動作が繰り返されて、固定刃９と可動刃１２による剪断作用により、棒材が切断される。
【００１８】
ここで、本実施形態では、モータ２から可動刃１２への動力伝達において回転する回転体に、回転作業用の工具を連結可能な工具連結部１７を設け、棒材切断機１が回転工具としても機能するようにしてある。具体的には、この回転体の一つであるカム１４の軸心部分に、当該軸心方向かつ棒材切断機１の先端側の端面方向に向けて突出した部分として工具連結部１７を設け、この工具連結部１７に、工具１６を連結するための連結孔１８を形成する。連結孔１８は、工具１６の挿入部の形状に合わせて例えば六角穴状に形成され、さらに、この連結孔１８内に、工具１６に形成された凹部と係合して当該工具１６が連結孔１８から抜け出るのを防止する抜け止め用ばね１９が挿入される。この抜け止め用ばね１９の弾性作用により、工具１６が連結孔１８に対して着脱自在となる。
【００１９】
工具１６としては、図５に示すねじ切り用ダイス２１や、図６に示すねじ回転用ソケット２０を用いることができる。このうち、ねじ切り用ダイス２１については、例えば、全ねじボルトを切断した部分にばり等が生じた場合に、当該ねじ切り用ダイス２１を用いてこれを取り除くことができる。また、ねじ回転用ソケット２０については、例えば、全ねじボルトの切断後等、ナットの回転抵抗が大きく、これを手で締め込むのが困難な場合に、当該ねじ回転用ソケット２０を用いてそのナットを容易に締め込むことができる。このように、用途に応じて工具連結部１７に連結する工具１６を交換することで、棒材切断機１を種々の回転工具として使用することができる。なお、切断機として用いる場合と、回転工具として用いる場合とで、トリガスイッチは共用される。
【００２０】
また、本実施形態では、工具連結部１７は、棒材切断機１の先端側のパネル２２（外側パネル）に設けた開口部２３から露出するが、この開口部２３には、当該開口部２３を開閉自在に覆う蓋体２５が設けられている。具体的には、パネル２２に沿ってレール２４を形成し、このレール２４に蓋体２５を移動自在に配置して、パネル２２に沿う方向（図中Ａ方向）にスライド可能に構成している。したがって、工具連結部１７を使用するときにのみ、開口部２３を開放することができる。
【００２１】
以上、説明したように、本実施形態によれば、モータ２から可動刃１２への動力伝達において回転する回転体としてのカム１４に、回転作業用の工具を連結可能な工具連結部１７を設けたため、棒材切断機１を、回転工具として用いることができ、作業効率を向上させることができる。
【００２２】
また、本実施形態によれば、工具１６としてねじ切り用ダイス２１を連結可能としたため、棒材切断機１を、ねじ切り用の回転工具として用いることができる。
【００２３】
また、本実施形態によれば、工具１６としてねじ回転用ソケット２０を連結可能としたため、棒材切断機１を、ねじ回し用の回転工具として用いることができる。
【００２４】
また、本実施形態によれば、開口部２３を開閉自在に覆う蓋体２５を設けたため、工具連結部１７を保護することができる上、使用しないときには開口部２３を閉じ、より安全に使用することができる。
【００２５】
以上、本発明の好適な実施形態について説明したが、本発明は上記実施形態に限定されるものではなく、要旨を逸脱しない範囲で上記実施形態に種々の改変を施すことができる。例えば、回転工具としては上記以外の種々のものを用いることができる。
【図面の簡単な説明】
【００２６】
【図１】本発明の実施形態にかかる棒材切断機の断面図。
【図２】本発明の実施形態にかかる棒材切断機に含まれる切断作用部の正面図。
【図３】本発明の実施形態にかかる棒材切断機に含まれる工具連結部およびそれに連結した工具の側面図（一部断面図）。
【図４】本発明の実施形態にかかる棒材切断機の斜視図。
【図５】本発明の実施形態にかかる棒材切断機に連結される工具としてのねじ切り用ダイスを示す図。
【図６】本発明の実施形態にかかる棒材切断機に連結される工具としてのねじ回転用ソケットを示す図。
【符号の説明】
【００２７】
１  棒材切断機
２  モータ
３  切断刃駆動機構
９  固定刃
１２  可動刃
１４  カム（回転体）
１６  工具
１７  工具連結部
２０  ねじ回転用ソケット（工具）
２１  ねじ切り用ダイス（工具）
２２  パネル（外側パネル）
２３  開口部
２５  蓋体
【図１】
2006116684.tif 000003
【図２】
2006116684.tif 000004
【図３】
2006116684.tif 000005
【図４】
2006116684.tif 000006
【図５】
2006116684.tif 000007
【図６】
2006116684.tif 000008